(57)【特許請求の範囲】
【請求項１】
デジタル放送で送信されるデータ放送を受信する受信手段と、
前記受信手段で受信したデータ放送のコンテンツに含まれる、情報入力を可能とする入力領域の属性に基づいて、その入力領域に入力可能な文字種が数字のみであるか数字以外の文字も含むかを判別する判別手段と、
前記判別手段により前記入力領域に入力可能な文字種が数字以外の文字も含むと判別されたとき、前記入力領域とその入力領域に入力可能な文字種が数字以外の文字も含むことを示すアイコンとを表示させる制御手段とを具備することを特徴とするデジタル放送受信装置。
【請求項２】
前記アイコンによって示される文字種を、前記入力領域に入力するための文字入力画面を表示させる入力画面表示手段を具備することを特徴とする請求項１記載のデジタル放送受信装置。
【請求項３】
デジタル放送で送信されるデータ放送を受信する受信手段と、
前記受信手段で受信したデータ放送のコンテンツに含まれる、情報入力を可能とする入力領域の属性に基づいて、その入力領域に入力可能な文字種が数字のみであるか数字以外の文字も含むかを判別する判別手段と、
前記判別手段により前記入力領域に入力可能な文字種が数字のみであると判別されたとき、前記入力領域を表示させる制御手段とを具備することを特徴とするデジタル放送受信装置。
【請求項４】
デジタル放送で送信されるデータ放送を受信する受信手段と、
前記受信手段で受信したデータ放送の拡張ＢＭＬコンテンツに含まれる、情報入力を可能とするinput fieldの属性に基づいて、そのinput fieldに入力可能な文字種が数字のみであるか数字以外の文字も含むかを判別する判別手段と、
前記判別手段により前記input fieldに入力可能な文字種が数字以外の文字も含むと判別されたとき、前記input fieldとそのinput fieldに入力可能な文字種が数字以外の文字も含むことを示すアイコンとを表示させる制御手段とを具備することを特徴とするデジタル放送受信装置。
【請求項５】
前記アイコンによって示される文字種を、前記input fieldに入力するための文字入力画面を表示させる入力画面表示手段を具備することを特徴とする請求項４記載のデジタル放送受信装置。
【請求項６】
デジタル放送で送信されるデータ放送を受信する受信手段と、
前記受信手段で受信したデータ放送の拡張ＢＭＬコンテンツに含まれる、情報入力を可能とするinput fieldの属性に基づいて、そのinput fieldに入力可能な文字種が数字のみであるか数字以外の文字も含むかを判別する判別手段と、
前記判別手段により前記input fieldに入力可能な文字種が数字のみであると判別されたとき、前記input fieldを表示させる制御手段とを具備することを特徴とするデジタル放送受信装置。
【請求項７】
デジタル放送で送信されるデータ放送を受信する受信ステップと、
前記受信ステップで受信したデータ放送のコンテンツに含まれる、情報入力を可能とする入力領域の属性に基づいて、その入力領域に入力可能な文字種が数字のみであるか数字以外の文字も含むかを判別する判別ステップと、
前記判別ステップにより前記入力領域に入力可能な文字種が数字以外の文字も含むと判別されたとき、前記入力領域とその入力領域に入力可能な文字種が数字以外の文字も含むことを示すアイコンとを表示させる制御ステップとを具備することを特徴とするデジタル放送受信装置の制御方法。
【請求項８】
前記アイコンによって示される文字種を、前記入力領域に入力するための文字入力画面を表示させる入力画面表示ステップを具備することを特徴とする請求項７記載のデジタル放送受信装置の制御方法。
【請求項９】
デジタル放送で送信されるデータ放送を受信する受信ステップと、
前記受信ステップで受信したデータ放送のコンテンツに含まれる、情報入力を可能とする入力領域の属性に基づいて、その入力領域に入力可能な文字種が数字のみであるか数字以外の文字も含むかを判別する判別ステップと、
前記判別ステップにより前記入力領域に入力可能な文字種が数字のみであると判別されたとき、前記入力領域を表示させる制御ステップとを具備することを特徴とするデジタル放送受信装置の制御方法。
【発明の詳細な説明】
【０００１】
【発明の属する技術分野】
この発明は、例えば衛星を利用したデジタルテレビジョン放送等を受信するデジタル放送受信装置とその制御方法の改良に関する。
【０００２】
【従来の技術】
周知のように、近年では、テレビジョン放送のデジタル化が推進されている。そして、現在では、既に、ＢＳ（Broadcasting Satellite）デジタル放送や、１１０度ＣＳ（１１０°Communication Satellite）デジタル放送等が実用化されている。また、今後は、デジタル地上波放送も実用化される予定である。
【０００３】
ところで、このようなデジタル放送システムにあっては、テレビジョン番組だけでなく、データ放送によって多種多様な情報をユーザに提供するサービスが実施されている。そして、現状では、この種のデータ放送サービスをさらに促進させた蓄積型双方向データサービスが開始される運びとなっている。
【０００４】
この蓄積型双方向データサービスは、蓄積型サービスと双方向通信サービスとを組み合わせたものである。このうち、蓄積型サービスは、ＡＲＩＢ（Association of Radio Industries and Businesses） ＴＲ−Ｂ１５で規定された蓄積専用のデータサービスである。
【０００５】
つまり、デジタル放送受信機が、内蔵されたハードディスクに受信した番組や情報を自動的に蓄積し、ユーザが好きなときに必要な情報を視聴できるようにしたサービスである。また、双方向通信サービスは、デジタル放送受信機がインターネットを利用して情報を受信及び発信することができるサービスである。
【０００６】
ここで、この蓄積型双方向データサービスで使用されるコンテンツは、拡張ＢＭＬ（Broadcast Markup Language）で記述されている。この拡張ＢＭＬは、ＢＳデジタル放送で利用されているＢＭＬの機能を向上させた、新しいページ記述言語規格である。
【０００７】
このＢＭＬでは、ＡＲＩＢ Ｂ−２４で規格されているように、input field、つまり、データ放送における表示画面上でユーザの情報入力を可能とする入力領域に対して、数字のみを入力することが可能となっている。これに対して、拡張ＢＭＬの場合は、数字以外にも、ひらがな、漢字、英字等の文字入力が可能となっている。
【０００８】
この場合、拡張ＢＭＬでは、ＢＭＬと同様に数字のみを入力可能とするinput fieldと、数字以外の文字入力も可能とするinput fieldとが存在する。そして、ＢＭＬと同様のinput fieldであれば、ユーザは、リモートコントローラの数字キーを操作して数字を入力することができる。
【０００９】
また、数字以外の文字入力も可能なinput fieldであれば、ユーザは、ＩＥ（Internet Explorer）のようにinput fieldに対して直接文字を入力し漢字変換を行なったり、文字入力画面（インラインエディタ）を起動して文字を入力したりすることが可能となる。
【００１０】
【発明が解決しようとする課題】
しかしながら、上記のような拡張ＢＭＬによるユーザの情報入力手段では、現在表示されているinput fieldが、数字のみの入力を可能とするものか、数字以外の文字入力も可能とするものかを、ユーザが区別することができない。
【００１１】
このため、ユーザは、例えば、現在表示されているinput fieldに対して、数字以外の文字を入力する操作や、インラインエディタを起動する操作を行なって、その操作が反映されないことから数字のみの入力であると判断し、ユーザにとって取り扱いが非常に不便であるという問題が想定される。
【００１２】
そこで、この発明は上記事情を考慮してなされたもので、ユーザによる情報入力時に入力が可能な文字種を通知することにより、ユーザが無駄な操作を行なうことを防止して取り扱いを便利にし得る極めて良好なデジタル放送受信装置とその制御方法を提供することを目的とする。
【００１３】
【課題を解決するための手段】
この発明に係るデジタル放送受信装置は、デジタル放送で送信されるデータ放送を受信する受信手段と、受信手段で受信したデータ放送のコンテンツに含まれる、情報入力を可能とする入力領域の属性に基づいて、その入力領域に入力可能な文字種が数字のみであるか数字以外の文字も含むかを判別する判別手段と、判別手段により入力領域に入力可能な文字種が数字以外の文字も含むと判別されたとき、入力領域とその入力領域に入力可能な文字種が数字以外の文字も含むことを示すアイコンとを表示させる制御手段とを備えるようにしたものである。
【００１４】
また、この発明に係るデジタル放送受信装置の制御方法は、デジタル放送で送信されるデータ放送を受信する受信ステップと、受信ステップで受信したデータ放送のコンテンツに含まれる、情報入力を可能とする入力領域の属性に基づいて、その入力領域に入力可能な文字種が数字のみであるか数字以外の文字も含むかを判別する判別ステップと、判別ステップにより入力領域に入力可能な文字種が数字以外の文字も含むと判別されたとき、入力領域とその入力領域に入力可能な文字種が数字以外の文字も含むことを示すアイコンとを表示させる制御ステップとを備えるようにしたものである。
【００１５】
上記のような構成及び方法によれば、選択された入力可能状態における入力文字種を判別し、その判別結果を通知するようにしたので、ユーザが無駄な操作を行なうことを防止することができ、ひいては取り扱いを便利にすることが可能となる。
【００１６】
【発明の実施の形態】
以下、この発明の実施の形態について、図面を参照して詳細に説明する。図１は、この実施の形態で説明するデジタル放送受信機を示している。このデジタル放送受信機は、ＢＳデジタル放送や１１０度ＣＳデジタル放送の受信機能に加えて、１１０度ＣＳデジタル放送を利用した蓄積型データ放送の受信機能を備えている。
【００１７】
すなわち、図示しない放送局からは、映像信号及び音声信号とともにＳＩ（Service Information）情報が多重されたデジタル放送信号が送信される。そして、このデジタル放送信号は、アンテナ１１で受信され、ツインチューナ１２に供給される。
【００１８】
このツインチューナ１２は、ＢＳデジタル放送や１１０度ＣＳデジタル放送を受信するための放送用セコンドコンバータと、１１０度ＣＳデジタル放送を利用した蓄積型データ放送を受信するための蓄積用セコンドコンバータとを、１つのブロックに集約したものである。
【００１９】
この場合、ツインチューナ１２の放送用セコンドコンバータは、ＣＰＵ（Central Processing Unit）等を内蔵した制御回路１３の制御に基づいて、入力されたデジタル放送信号から放送用の所定の伝送チャンネルを選択し、その選択した伝送チャンネルの信号を放送用のエラー訂正回路１４に出力している。
【００２０】
このエラー訂正回路１４は、入力された信号に復調処理及び誤り訂正処理を施した後、放送用のスクランブル制御回路１５に出力している。このスクランブル制御回路１５は、入力された信号にスクランブル処理が施されていれば、それを解除するデスクランブル処理を施して多重データ分離回路１６に出力する。
【００２１】
また、上記ツインチューナ１２の蓄積用セコンドコンバータは、制御回路１３の制御に基づいて、入力されたデジタル放送信号から蓄積用の所定の伝送チャンネルを選択し、その選択した伝送チャンネルの信号を蓄積用のエラー訂正回路１７に出力している。
【００２２】
このエラー訂正回路１７は、入力された信号に復調処理及び誤り訂正処理を施した後、蓄積用のスクランブル制御回路１８に出力している。このスクランブル制御回路１８は、入力された信号にスクランブル処理が施されていれば、それを解除するデスクランブル処理を施して多重データ分離回路１６に出力する。
【００２３】
この多重データ分離回路１６は、入力された信号のビットストリームに含まれる識別情報（ＩＤ）に基づいてパケットを分離する。そして、多重データ分離回路１６は、ＳＩ情報を制御回路１３に供給するとともに、パケット毎の映像信号を映像再生回路１９に出力し、音声信号を音声再生回路２０に出力する。
【００２４】
この映像再生回路１９は、入力された映像信号にＭＰＥＧ（Moving Picture Image Coding Experts Group）デコード処理を施した後、ＯＳＤ（On Screen Display）回路２１に出力する。また、音声再生回路２０は、入力された音声信号にＭＰＥＧデコード処理を施して出力している。
【００２５】
さらに、上記制御回路１３は、多重データ分離回路１６より取得したＳＩ情報からＯＳＤ用のデータを生成し、ＯＳＤ回路２１に出力する。これにより、ＯＳＤ回路２１は、映像再生回路１９から供給された映像信号に、ＯＳＤ用のデータを重畳して出力する。
【００２６】
また、上記多重データ分離回路１６は、蓄積用のデータに対して、そのストリームにコンテンツ保護を施し、ＨＤＤ（Hard Disk Drive）２２に供給する。このため、ＨＤＤ２２により、蓄積用のデータがハードディスク２２ａに蓄積されることになる。
【００２７】
このハードディスク２２ａに蓄積されたデータは、リモートコントローラ２３の専用キーを操作することによって読み出される。このデータは、拡張ＢＭＬで記述されたコンテンツ、及びそのコンテンツに付加された映像、静止画、音声等で構成されており、拡張ＢＭＬブラウザで閲覧することができる。
【００２８】
図２は、リモートコントローラ２３の詳細を示している。このリモートコントローラ２３の操作情報を受けて、上記制御回路１３がデジタル放送受信機を統括的に制御している。なお、上記したハードディスク２２ａに蓄積されたデータを読み出すための専用キーは、例えば蓄積データキー２３ａである。
【００２９】
ここで、先にも述べたように、拡張ＢＭＬコンテンツのinput fieldには、数字のみを入力可能とするものと、数字以外の文字入力も可能とするものとが存在する。この制御回路１３では、選択されたinput fieldに対して、入力可能な文字種を自動的に判別し、その判別結果をユーザに通知するように機能する。
【００３０】
図３は、このような制御回路１３の特徴的な動作をまとめたフローチャートを示している。すなわち、制御回路１３は、ステップＳ１１で、拡張ＢＭＬコンテンツの中から所定のinput fieldが選択されると、ステップＳ１２で、そのinput
fieldが数字以外の文字入力も可能であるか否かを判別する。
【００３１】
そして、数字以外の文字入力が可能であると判断された場合（ＹＥＳ）、制御回路１３は、ステップＳ１３で、図５に示すように、input fieldの画面上に数字以外の文字入力も可能であることを通知するためのアイコン２４を表示させる。これにより、ユーザは、現在選択されているinput fieldが数字以外の文字入力も可能であることを認識する。
【００３２】
この場合、ユーザは、ＩＥ（Internet Explorer）のようにinput fieldに対して直接文字を入力し漢字変換を行なったり、リモートコントローラ２３の文字キー２３ｂを操作して、図６に示すような文字入力画面（インラインエディタ）２５を起動して文字を入力したりすることができる。
【００３３】
また、上記ステップＳ１２で数字以外の文字入力が可能でないと判断された場合（ＮＯ）、制御回路１３は、ステップＳ１４で、図４に示すように、input fieldの画面上に数字以外の文字入力も可能であることを通知するためのアイコン２４を表示させないように制御する。これにより、ユーザは、現在選択されているinput fieldが数字のみの入力しか可能でないことを認識する。
【００３４】
上記した実施の形態によれば、選択されたinput fieldに対して、数字以外の文字入力も可能である場合に、その旨を示すアイコン２４を表示させるようにしたので、ユーザが無駄な操作を行なうことを防止することができ、ひいては取り扱いを便利にすることが可能となる。
【００３５】
また、上記した実施の形態では、選択されたinput fieldが数字入力のみの場合には、その旨を積極的にユーザに通知していないが、例えば、input fieldの画面上に数字のみの入力が可能である旨を示すアイコンを表示させるようにしても良いものである。
【００３６】
さらに、選択されたinput fieldが数字入力のみであるか、数字以外の文字入力も可能であるかを判別するだけでに限らず、input fieldが選択される毎にその属性を判断することにより、その都度、選択されたinput fieldで使用可能な入力文字種を通知するアイコンを表示させることができる。
【００３７】
なお、この発明は上記した実施の形態に限定されるものではなく、この外その要旨を逸脱しない範囲で種々変形して実施することができる。
【００３８】
【発明の効果】
以上詳述したようにこの発明によれば、ユーザによる情報入力時に入力が可能な文字種を通知することにより、ユーザが無駄な操作を行なうことを防止して取り扱いを便利にし得る極めて良好なデジタル放送受信装置とその制御方法を提供することができる。
【図面の簡単な説明】
【図１】この発明の実施の形態を示すもので、デジタル放送受信機を説明するために示すブロック構成図。
【図２】同実施の形態におけるデジタル放送受信機のリモートコントローラの詳細を説明するために示す図。
【図３】同実施の形態における制御回路の特徴的な動作を説明するために示すフローチャート。
【図４】  同実施の形態における数字のみの入力が可能である場合の表示画面を説明するために示す図。
【図５】  同実施の形態における数字以外の文字入力も可能である旨を通知するアイコンを表示させた例を説明するために示す図。
【図６】  同実施の形態における数字以外の文字入力画面を起動させた例を説明するために示す図。
【符号の説明】
１１…アンテナ、
１２…ツインチューナ、
１３…制御回路、
１４…エラー訂正回路、
１５…スクランブル制御回路、
１６…多重データ分離回路、
１７…エラー訂正回路、
１８…スクランブル制御回路、
１９…映像再生回路、
２０…音声再生回路、
２１…ＯＳＤ回路、
２２…ＨＤＤ、
２３…リモートコントローラ、
２４…アイコン、
２５…文字入力画面。
【図１】
0003689068.tif 000002
【図２】
0003689068.tif 000003
【図３】
0003689068.tif 000004
【図４】
0003689068.tif 000005
【図５】
0003689068.tif 000006
【図６】
0003689068.tif 000007